(57)【要約】【課題】支持台の高さ調整を容易に行うことができ、食器洗い機の設置作業時の作業性を向上させることができる、食器洗い機用の支持台を提供する。【解決手段】食器洗い機用の支持台は、食器洗い機を載せる支持部と、支持部の高さを調整できる支持脚と、を備えている。支持脚は、中空構造の外筒部と、外筒部の内部に上下移動自在に設けられた脚部と、を有している。外筒部には、上下移動させた脚部の一部を目印位置とし目視にて前方側から確認できる高さ確認部が設けられている。【選択図】図１１
2020081718.tif 000002
【特許請求の範囲】
【請求項１】
ビルトイン型の食器洗い機を支持する支持台であって、
前記食器洗い機を載せる支持部と、
前記支持部の高さを調整できる支持脚と、を備え、
前記支持脚は、中空構造の外筒部と、前記外筒部の内部に上下移動自在に設けられた脚部と、を有しており、
前記外筒部には、上下移動させた前記脚部の一部を目印位置とし目視にて前方側から確認できる高さ確認部が設けられている、食器洗い機用の支持台。
【請求項２】
前記支持部は、正面視して左右方向に間隔をあけて配置された一対の支持部材と、一対の前記支持部材を連結する連結部材と、を有し、
前記支持脚は、前記支持部材ごとに、前記食器洗い機の前後方向に間隔をあけて少なくとも２つ設けられている、請求項１に記載の食器洗い機用の支持台。
【請求項３】
前記食器洗い機の前面側に配置された前記支持脚と、前記食器洗い機の背面側に配置された前記支持脚とは、位置をずらして配置され、すべての高さ確認部が前方側から確認できるように構成されている、請求項２に記載の食器洗い機用の支持台。
【請求項４】
前記外筒部には、中空内部に前記脚部の移動を目標の位置で規制する規制部材が設けられている、請求項１〜３のいずれか一項に記載の食器洗い機用の支持台。
【請求項５】
前記外筒部は、中空内部にネジ孔を有し、
前記脚部は、前記ネジ孔にねじ込まれたネジ軸部を有しており、
前記支持脚は、前記ネジ孔にねじ込まれた前記ネジ軸部を回転させることで、前記脚部が前記外筒部に対して上下移動する構成である、請求項１〜４のいずれか一項に記載の食器洗い機用の支持台。
【請求項６】
前記高さ確認部は、前記外筒部に形成された開口部又は透明部である、請求項１〜５のいずれか一項に記載の食器洗い機用の支持台。
【請求項７】
前記支持脚には、水平器を載置させるための保持部材が設けられている、請求項１〜６のいずれか一項に記載の食器洗い機用の支持台。
【請求項８】
前記保持部材は、前記支持脚を回転軸として水平方向へ回動自在に設けられている、請求項７に記載の食器洗い機用の支持台。
【請求項９】
前記支持部の前面側には、前記支持脚に取り付けられた固定部材を介して化粧パネルが取り付けられており、
前記固定部材には、水平器を載置させるための保持部材が取り付けられている、請求項１〜６のいずれか一項に記載の食器洗い機用の支持台。
【発明の詳細な説明】
【技術分野】
【０００１】
本発明は、ビルトイン型の食器洗い機用の支持台に関するものである。
【背景技術】
【０００２】
従来、システムキッチンを構成するキッチンカウンタの収容部にビルトインされた状態で使用される食器洗い機が知られている。食器洗い機は、例えば前面が開口された筐体と、筐体の開口を覆う前面扉と、筐体の開口から内部へ出し入れ自在に設けられた洗浄槽と、を備えている。食器洗い機は、例えば高さ調整が可能に構成された支持台の上面に載置させた状態でキッチンカウンタの収容部に収納されている。
【０００３】
例えば、特許文献１に開示された食器洗い機は、食器洗い機本体の下方に、食器洗い機本体に着脱自在に取り付けられた箱形状の支持部が設けられている。支持部には、食器洗い機本体の天面までの高さを調整できる複数の調整脚が設けられている。食器洗い機は、支持部を独立させた状態で各調整脚の高さを調整し、先に支持部のみをキッチンカウンタの収納部に設置し、その後、支持部の上面に食器洗い機本体を設置するものである。
【先行技術文献】
【特許文献】
【０００４】
【特許文献１】特開２００３−１１１７１２号公報
【発明の概要】
【発明が解決しようとする課題】
【０００５】
特許文献１に開示されているような従来の食器洗い機では、各調整脚をそれぞれ独立して調整する必要があるので、ミリ単位での高さ調整が難しく、例えば支持部を水平状態にすること、及び隣接して設けられた設備の引き出し又は化粧パネル等の区画ラインに高さを合わせることが難しかった。特に、設置する場所によっては、床面が水平とは限らず、若干傾いている場合もあるので、高さ調整が困難であった。
【０００６】
また、従来の食器洗い機をキッチンカウンタの収納部に収納する場合、支持台を収納部へ入れて大体の高さを調整し、支持台を取り出してから、支持台に食器洗い機を載置させた状態で、再度収納部に収納する。そして、食器洗い機を水平状態にするため、及び隣接して設けられた設備の引き出し又は化粧パネル等の区画ラインに高さを合わせるために、食器洗い機と支持台を収納部から取り出し、食器洗い機を降ろして支持台の高さを微調整して、再び食器洗い機と支持台を収納部する作業を数回繰り返し行っていた。つまり、食器洗い機をキッチンカウンタの収納部に収納する場合、高さの調整に非常に手間が掛かっていた。
【０００７】
本発明は、上記のような課題を解決するためになされたもので、支持台の高さ調整を容易に行うことができ、食器洗い機の設置作業時の作業性を向上させることができる、食器洗い機用の支持台を提供することを目的とする。
【課題を解決するための手段】
【０００８】
本発明に係る食器洗い機用の支持台は、ビルトイン型の食器洗い機を支持する支持台であって、前記食器洗い機を載せる支持部と、前記支持部の高さを調整できる支持脚と、を備え、前記支持脚は、中空構造の外筒部と、前記外筒部の内部に上下移動自在に設けられた脚部と、を有しており、前記外筒部には、上下移動させた前記脚部の一部を目印位置とし目視にて前方側から確認できる高さ確認部が設けられているものである。
【発明の効果】
【０００９】
本発明によれば、支持脚の外筒部に、上下移動させた脚部の一部を目印位置とし目視にて前方側から確認できる高さ確認部を設けた構成なので、支持台を収納部に収納した状態であっても、高さ確認部で脚部の位置を確認しながら高さ調整を精度良く行うことができる。よって、支持台の高さ調整を容易に行うことができ、食器洗い機の設置作業時の作業性を向上させることができる。
【図面の簡単な説明】
【００１０】
【図１】本発明の実施の形態における食器洗い機がビルトインされたキッチンカウンタの斜視図である。
【図２】本発明の実施の形態における食器洗い機がビルトインされたキッチンカウンタであって、洗浄槽を引き出した状態を示した斜視図である。
【図３】本発明の実施の形態における食器洗い機を支持台に載せた状態を前面側から示した斜視図である。
【図４】本発明の実施の形態における食器洗い機を支持台に載せた状態を背面側から示した斜視図である。
【図５】本発明の実施の形態における食器洗い機の概略構成を右側方から示した断面図である。
【図６】本発明の実施の形態に係る支持台であって、化粧パネルを取り付けた状態を示した斜視図である。
【図７】本発明の実施の形態に係る支持台であって、化粧パネルを取り外した状態を示した斜視図である。
【図８】本発明の実施の形態に係る支持台であって、化粧パネルを取り外した状態を下面側から示した斜視図である。
【図９】本発明の実施の形態に係る支持台であって、支持脚を縮めた状態を示した側面図である。
【図１０】本発明の実施の形態に係る支持台であって、支持脚を伸ばした状態を示した側面図である。
【図１１】本発明の実施の形態に係る支持台の支持脚を模式的に示した正面図である。
【図１２】本発明の実施の形態に係る支持台の支持脚の変形例１を模式的に示した正面図である。
【図１３】本発明の実施の形態に係る支持台の支持脚の変形例２を模式的に示した正面図である。
【図１４】本発明の実施の形態に係る支持台であって、外筒部の中空内部に規制部材を設けた構成を模式的に示した正面図である。
【図１５】本発明の実施の形態に係る支持台の支持脚の配置例を模式的に示した平面図である。
【図１６】本発明の実施の形態に係る支持台の支持脚の配置例を模式的に示した正面図である。
【図１７】本実施の形態に係る支持台に水平器を載置させるための保持部材を設けた構成を示した斜視図である。
【図１８】本実施の形態に係る支持台に水平器を載置させるための保持部材を設けた構成であって、図１７とは異なる形態を示した斜視図である。
【図１９】本実施の形態に係る支持台の化粧パネルを分解して示した斜視図である。
【発明を実施するための形態】
【００１１】
以下、図面を参照して、本発明の実施の形態について説明する。なお、各図中、同一又は相当する部分には、同一符号を付して、その説明を適宜省略又は簡略化する。また、各図に記載の構成について、その形状、大きさ、及び配置等は、本発明の範囲内で適宜変更することができる。また、以下の説明において、「上下」、「左右」、「前後」等の方向を表す用語を用いるが、これは支持台を正面視した状態の方向を表すために用いるものとする。
【００１２】
実施の形態．
図１は、本発明の実施の形態における食器洗い機がビルトインされたキッチンカウンタの斜視図である。図２は、本発明の実施の形態における食器洗い機がビルトインされたキッチンカウンタであって、洗浄槽を引き出した状態を示した斜視図である。図３は、本発明の実施の形態における食器洗い機を支持台に載せた状態を前面側から示した斜視図である。図４は、本発明の実施の形態における食器洗い機を支持台に載せた状態を背面側から示した斜視図である。図５は、本発明の実施の形態における食器洗い機の概略構成を右側方から示した断面図である。
【００１３】
図１及び図２に示すように、本実施の形態における食器洗い機１００は、キッチンカウンタ２００に設けられた収容部に収容されるビルトイン型である。食器洗い機１００は、図３及び図４に示すように、支持台４に支持された状態で、キッチンカウンタ２００に設けられた収容部に収容されている。食器洗い機１００は、他の台所設備１０１に隣接させて設けられ、システムキッチンの一部を構成するものである。台所設備１０１とは、例えばシステムキッチンを構成するキャビネット、ガスコンロ又はＩＨクッキングヒータ等である。
【００１４】
先ず、本実施の形態における食器洗い機１００の構成について説明する。食器洗い機１００は、図１〜図５に示すように、前面が開口された外郭を形成する筐体１と、筐体１の開口を覆う前面扉２と、筐体１の開口から内部へ出し入れ自在に設けられた洗浄槽３と、を備えている。
【００１５】
筐体１は、図３〜図５に示すように、前面が開口された箱形状からなり、キッチンカウンタ２００に設けられた収容部に嵌め込まれて固定されている。筐体１の内部には、図５に示すように、洗浄槽３、洗浄ポンプ１０、温風送風部１１等が設けられている。
【００１６】
前面扉２は、図１に示すように、洗浄槽３が筐体１の内部に完全に収納された際に、筐体１の開口部を覆うものである。前面扉２の前面には、化粧面材が設けられている。化粧面材は、食器洗い機１００に隣接する台所設備１０１の表面材である化粧面材と同一の素材、同一の色調、及び同一の図柄で構成されている。
【００１７】
洗浄槽３は、食器類等の洗浄対象物３０を収容するものである。洗浄槽３は、図２に示すように、図示省略のレール機構によって、筐体１の開口から内部へ出し入れ自在に設けられている。レール機構は、例えば筐体１に設けた固定レールと、洗浄槽３に設けた可動レールと、で構成されている。洗浄槽３は、図５に示すように、筐体１の内部方向に所定の位置まで押し込まれると、図示省略の保持機構により保持される。
【００１８】
図５に示すように、洗浄槽３の内部には、洗浄対象物３０を載置させる食器かご３１が収容されている。洗浄槽３の上面には、開口部が形成されており、当該開口部を開閉する内蓋３２が設けられている。内蓋３２は、筐体１の側壁に設けられた支持材３３で支持されており、筐体１と支持材３３との間に介装されたばね３４により洗浄槽３から離間する方向に付勢されている。つまり、洗浄槽３は、筐体１から引き出される際に、内蓋３２が持ち上げられて内部が開放され、洗浄対象物３０の出し入れ可能となる。また、洗浄槽３には、排気経路部１２に通じる排気孔３ａが、前面側の上部に形成されている。また、洗浄槽３の底面には、下方へ突き出した凹部３ｂが形成されている。凹部３ｂには、例えば洗浄槽３内に貯留されている水を加熱する発熱体１３が設けられている。
【００１９】
排気経路部１２は、洗浄槽３の内部の高温及び高湿の空気を外部に排出させるために設けられている。排気経路部１２は、洗浄槽３の前面側と前面扉２との間に配置されている。排気経路部１２は、一端が洗浄槽３の排気孔３ａと連通し、他端が前面扉２の上端に設けられて外部と連通している。
【００２０】
また、洗浄槽３の下方には、洗浄ポンプ１０が設けられている。また、洗浄槽３の底部のほぼ中央部に支持軸３５が設けられている。支持軸３５には、洗浄水が噴射される複数の噴射口を有する洗浄ノズル３６が回転自在に支持されている。
【００２１】
洗浄ポンプ１０の吐出口は、送水配管１０ａにより洗浄ノズル３６に連結されている。洗浄ポンプ１０の吸込口は、図示省略の吸込配管により凹部３ｂに連結されている。送水配管１０ａには、筐体１の外部に導かれて開口する排水配管１０ｂが連結されている。送水配管１０ａと排水配管１０ｂは、切換弁（図示せず）によって切換えられる。
【００２２】
なお、本実施の形態では、洗浄ポンプ１０を切換えることで、洗浄のための送水と排水とを行う構成で説明したが、例えば洗浄ポンプと排水ポンプとを独立させて設けた構成でもよい。具体的には、洗浄ポンプ１０は、送水配管１０ａを介して洗浄槽３の凹部３ｂと連通しており、洗浄槽３内の水を加圧する。洗浄ポンプ１０によって加圧された水は、洗浄ノズル３６から噴射される。また、図示省略の排水ポンプは、水位検知装置を有する排水配管１０ｂを介して洗浄槽３の凹部３ｂと連通しており、洗浄槽３内に貯留されている水を排水する。つまり、洗浄ポンプと排水ポンプとを独立させて設けた構成では、洗浄しながら排水を行うことができ、制御のバリエーションを増やすことができる。
【００２３】
洗浄槽３の後方には、温風送風部１１が設置されている。温風送風部１１は、洗浄槽３内に空気を供給する送風ファン１１ａと、送風ファン１１ａを駆動するモータ１１ｂと、送風ファン１１ａの下流側に配設され、空気を加熱して温風にする乾燥ヒータ１１ｃと、を有している。温風送風部１１によって生成された温風は、洗浄槽３の背面に設けた温風送風口１１ｄから洗浄槽３内に吹込まれる。なお、温風送風部１１は、図示した構成に限定されない。例えば、温風送風部１１のように個別の乾燥ヒータ１１ｃは備えず、洗浄槽３の下層部に設けた洗浄及びすすぎの水温を必要な温度に上昇及び維持させる発熱体１３を、洗浄槽３内に入れる空気を温める発熱体として兼用してもよい。すなわち、発熱体１３は、洗浄槽３内に入れる空気を温めて乾燥性能を出す機能と、洗浄及びすすぎの水温を必要な温度に上昇及び維持させる機能を有するものである。
【００２４】
次に、本実施の形態に係る食器洗い機用の支持台４について説明する。図６は、本発明の実施の形態に係る支持台であって、化粧パネルを取り付けた状態を示した斜視図である。図７は、本発明の実施の形態に係る支持台であって、化粧パネルを取り外した状態を示した斜視図である。図８は、本発明の実施の形態に係る支持台であって、化粧パネルを取り外した状態を下面側から示した斜視図である。
【００２５】
本実施の形態に係る食器洗い機用の支持台４は、図３及び図４に示すように、ビルトイン型の食器洗い機１００を支持するものである。支持台４は、図６〜図８に示すように、食器洗い機１００を載せる支持部５と、支持部５の高さを調整できる支持脚６と、支持部５の前面側に設けられた化粧パネル７と、を備えている。
【００２６】
支持部５は、正面視して左右方向に間隔をあけて配置された一対の支持部材５０で構成されている。支持部材５０は、食器洗い機１００の前後方向に延びる直方体形状で構成されている。一対の支持部材５０は、食器洗い機１００の横幅寸法に合わせた間隔をあけて配置されている。一対の支持部材５０は、例えば横長のアングル材から成る連結部材５１によって、前面側の端部が連結されている。図示例の場合、連結部材５１は、支持部材５０の下面に例えばネジ等の接合部材を用いて取り付けられている。
【００２７】
支持部材５０の前面側の上面には、載置した食器洗い機１００の位置ずれを防止する位置ずれ防止金具５２が設けられている。位置ずれ防止金具５２は、ネジ等の接合部材によって支持部材５０の上面に固定されている。また、位置ずれ防止金具５２は、支持台４に載せた食器洗い機１００の前面側の下部にネジ等の接合部材で固定される。
【００２８】
支持部材５０の背面側の上面には、洗浄槽３を筐体１から引き出したときに、食器洗い機１００が前方へ転倒する事態を防止する転倒防止金具５３が設けられている。転倒防止金具５３は、横長のアングル材で構成されており、１対の支持部材５０に共通に使用される。転倒防止金具５３は、一方の面が各支持部材５０の上面に当接され、端部がネジ等の接合部材によって各支持部材５０に固定される。転倒防止金具５３の上方に立ち上がる部分の上端には、前面側に向かって突き出す凸部５３ａが設けられている。凸部５３ａは、支持部材５０に載置した食器洗い機１００の挿入孔に嵌め込まれる。なお、転倒防止金具５３は、一対の支持部材５０の背面側を連結する役目もある。
【００２９】
支持脚６は、支持部材５０の下面に設けられている。支持脚６は、各支持部材５０において、食器洗い機１００の前後方向に間隔をあけて２つ設けられている。但し、支持脚６の配置及び個数は、図示した構成に限定されない。支持脚６は、中空構造の外筒部６０と、外筒部６０の内部に上下移動自在に設けられた脚部６１と、有している。
【００３０】
外筒部６０は、支持部材５０と一体的に形成されたものである。但し、外筒部６０と支持部材５０とを別部材で構成し、外筒部６０を支持部材５０にネジ等の接合部材と用いて取り付けてもよい。外筒部６０は、中空内部にネジ孔６０ａを有している。また、前面側に位置する支持脚６の外筒部６０には、化粧パネル７を取り付けるための固定部材７４が取り付けられている。固定部材７４は、例えば帯状の鋼板から成り、各端部が左右の外筒部６０に、それぞれネジ等の接合部材を介して固定されている。
【００３１】
脚部６１は、ネジ孔６０ａにねじ込まれたネジ軸部６１ａと、ネジ軸部６１ａの下端部に設けられて床面等に設置させる平板状の基端部６１ｂと、を有している。基端部６１ｂの底面には、ドライバー等の工具で回転させることができる溝６１ｃが形成されている。また、基端部６１ｂは、六角形のナット状の形状を有し、例えばスパナ等の工具で回転させることができる。脚部６１は、基端部６１ｂを回転させることで、ネジ軸部６１ａを回転させることができる構成である。
【００３２】
図９は、本発明の実施の形態に係る支持台であって、支持脚を縮めた状態を示した側面図である。図１０は、本発明の実施の形態に係る支持台であって、支持脚を伸ばした状態を示した側面図である。図９及び図１０に示すように、支持脚６は、ネジ孔６０ａにねじ込まれたネジ軸部６１ａを、基端部６１ｂを介して回転させることで、支持部５の高さを調整できる。支持脚６は、食器洗い機１００が例えば床面から９０ｃｍ程度の高さの範囲でキッチンカウンタ２００に納まるように、支持部５の高さを調整することができる。
【００３３】
図１１は、本発明の実施の形態に係る支持台の支持脚を模式的に示した正面図である。図１２は、本発明の実施の形態に係る支持台の支持脚の変形例１を模式的に示した正面図である。図１３は、本発明の実施の形態に係る支持台の支持脚の変形例２を模式的に示した正面図である。なお、図１１〜図１３に示した目盛は、模式的に示したものであり、実際の縮尺とは異なるものである。
【００３４】
図１１に示すように、外筒部６０には、上下移動させた脚部６１の一部を目印位置とし目視にて前方側から確認できる高さ確認部６２が設けられている。図示例の場合、目印位置は、ネジ軸部６１ａの上端部である。なお、目印位置は、例えばネジ軸部６１ａを高さ方向に色分けした構成でもよいし、ネジ軸部６１ａに設けられた凹形状の目印でもよく、他の形態でもよい。
【００３５】
高さ確認部６２は、外筒部６０の前面側に形成された開口部である。外筒部６０には、高さ確認部６２の高さ方向に沿って、食器洗い機１００の高さを示す表示部６３が設けられている。使用者は、表示部６３を確認しつつ、ネジ軸部６１ａを回転させることにより、支持部５の高さを容易に調整することができる。
【００３６】
表示部６３は、例えば具体的に数値を表記したスケールである。スケールには、図１１に示すように、５ｃｍの間隔で数値を表記した構成でもよいが、図１２に示すような補助目盛を設けた構成にすることで、例えばｍｍ単位での調整が容易となる。なお、表示部６３は、例えば床面から食器洗い機１００の上面までの高さを表記する。実際に、キッチンカウンタ２００の収納部に食器洗い機１００をビルトインした状態では、キッチンカウンタ２００の天板の高さによって、食器洗い機１００の設置高さも決まる。キッチンカウンタ２００の天板の高さは、キッチンを使用するユーザーの身長に合わせて選択されるものであり、床面から８０ｃｍ、８５ｃｍ、９０ｃｍ等が標準的なスケールとして用いられる。キッチンカウンタ２００の高さによって、ビルトインされる食器洗い機１００の設置高さが異なるため、床面から食器洗い機１００の上面までの高さを表示部６３として表示することで、高さ調整が容易となり、設置作業時の作業性を高めることができる。
【００３７】
なお、表示部６３は、床面から支持部５の上面まで高さを表記してもよい。また、表示部６３は、図１３に示すように、高さを段階的に示した矢印で構成してもよいし、他の形態でもよい。更に、表示部６３は、目盛りに文字又は記号を併記した構成でもよい。目盛り、文字及び記号は、作業者が手で触れることで確認できる構成にしてもよい。この場合、薄暗い場所での作業であっても、作業性を高めることができる。その上、例えば脚部６１と外筒部６０が共に黒色で構成されている場合であり、当該表示部６３が見えづらくても、容易に確認することができる。
【００３８】
高さ確認部６２は、図示した開口部に限定されない。例えば外筒部６０の全部又は一部を透明部として透明部材等で構成し、脚部６１の目印位置を目視にて前方側から確認できる部分を、高さ確認部６２としてもよい。また、高さ確認部６２は、複数のスリットで構成してもよい。要するに、高さ確認部６２は、上下移動させた脚部６１の目印位置を目視にて前方側から確認できれば、種々の態様で実施できる。
【００３９】
図１４は、本発明の実施の形態に係る支持台であって、外筒部の中空内部に規制部材を設けた構成を模式的に示した正面図である。図１４に示すように、支持脚６は、外筒部６０の中空内部に、脚部６１の移動を目標の位置で規制する規制部材６４を取り外し自在に設けた構成としてもよい。規制部材６４は、例えば板状の合成樹脂材又は鋼板等である。支持脚６は、脚部６１を微調整する前段階として、目標の位置まで脚部６１を移動させる必要がある。本実施の形態に係る支持台４では、規制部材６４を設けることによって、規制部材６４に突き当たるまで一気に脚部６１を移動させることができ、その後に支持部５の高さの微調整を行うことができるので、設置作業時の作業性がよい。なお、規制部材６４は、脚部６１の移動を目標の位置で規制できればよく、他の形状及び材質であってもよい。また、支持台４は、規制部材６４を設けずに構成してもよい。
【００４０】
図１５は、本発明の実施の形態に係る支持台の支持脚の配置例を模式的に示した平面図である。図１６は、本発明の実施の形態に係る支持台の支持脚の配置例を模式的に示した正面図である。図１５及び図１６に示すように、支持台４は、食器洗い機１００の前面側に配置された支持脚６と、食器洗い機１００の背面側に配置された支持脚６とが、位置をずらして配置され、すべての高さ確認部６２が前方側から確認できるように構成するとよい。具体的には、図１５に一点鎖線で示すように、食器洗い機１００の背面側に配置された支持脚６が内側に寄った位置に配置され、食器洗い機１００の前面側に配置された支持脚６が外側に寄った位置に配置される。このように支持脚６を配置することで、図１６に示すように、キッチンカウンタ２００の収納部に支持台４を収納した状態であっても、すべての高さ確認部６２を前方側から見ることができるので、設置作業時の作業性を向上させることができる。また、食器洗い機１００の前面側に配置された支持脚６を外側に寄った位置に配置することで、繰り返し出し入れされる洗浄槽３に対する耐久性及び安定性を高めることができる。なお、支持脚６は、図示した配置例に限定されず、すべての高さ確認部６２が前方側から確認できる構成であれば、他の形態でもよい。
【００４１】
図１７は、本実施の形態に係る支持台に水平器を載置させるための保持部材を設けた構成を示した斜視図である。図１７に示すように、本実施の形態に係る支持台４は、いずれか一つの支持脚６に、水平器９を載置させるための保持部材８を設けた構成としてもよい。図示例の場合、保持部材８は、左前面側に位置する支持脚６に設けられている。
【００４２】
保持部材８は、合成樹脂製の板状部材又は鋼板であり、支持脚６を軸として水平方向へ回動自在に設けられている。具体的には、保持部材８は、前面側に位置する支持脚６の間に収納された状態と、当該状態から前方に向かって約９０度回転させて水平器９を載置させる状態と、にすることができる。なお、保持部材８を回動させる構造は、どのような形態であってもよいが、例えば外筒部６０に保持部材８の一部を差し込むスリットが形成され、該スリットに差し込んだ保持部材８を回動可能にピン連結する構造が考えられる。
【００４３】
支持台４は、保持部材８に載置させた水平器９を使用して、支持脚６の高さを調整することで、支持部５の水平状態の精度を高めることができ、支持部５に載置させた食器洗い機の安定性を高めることができる。また、支持台４は、保持部材８を前方に回動させることで、水平器９を設置しやすくなるし、水平器９の目視確認を行うことも容易となる。一方、食器洗い機１００の設置完了後に、保持部材８を回動させて内方に格納させることで、支持台４の前面に取り付けられる化粧パネル７の邪魔になることがない。
【００４４】
図１８は、本実施の形態に係る支持台に水平器を載置させるための保持部材を設けた構成であって、図１７とは異なる形態を示した斜視図である。図１８に示すように、本実施の形態に係る支持台４は、固定部材７４に水平器９を載置させるための保持部材８を取り付けてもよい。保持部材８は、合成樹脂製の板状部材又は鋼板であり、四角形の一端縁が固定部材７４に固定され、４つの支持脚６に囲まれた空間に配置されている。つまり、意匠性を高めるために化粧パネル７を取り付ける場合であっても保持部材８の存在が邪魔にならず、水平器９を保持部材８に載置させて、支持脚６の高さを調整することができる。
【００４５】
図１９は、本実施の形態に係る支持台の化粧パネルを分解して示した斜視図である。化粧パネル７は、表面に面材が取り付けられた長方形状のパネルベース部７０と、パネルベース部７０の上縁に設けられた上枠材７１と、パネルベース部７０の下縁に設けられた下枠材７２と、パネルベース部７０の左右側面に設けられた側枠材７３と、で構成されている。化粧パネル７は、連結部材５１及び固定部材７４を介して支持台４の前面側に取り付けられる。なお、化粧パネル７は、必ずしも設ける必要なく、設置場所に応じて、適宜設けるものである。
【００４６】
上記したように、本実施の形態に係る支持台４は、食器洗い機１００を載せる支持部５と、支持部５の高さを調整できる支持脚６と、を備えている。支持脚６は、中空構造の外筒部６０と、外筒部６０の内部に上下移動自在に設けられた脚部６１と、を有している。外筒部６０には、上下移動させた脚部６１の一部を目印位置とし目視にて前方側から確認できる高さ確認部６２が設けられている。つまり、本実施の形態に係る支持台４は、支持台４を収納部に収納した状態であっても、高さ確認部６２で脚部６１の位置を確認しながら高さ調整をミリ単位で精度良く行うことができる。よって、支持台４の高さ調整を容易に行うことができ、食器洗い機１００の設置作業時の作業性を向上させることができるので、設置作業の工程数が少なくて済む。
【００４７】
支持部５は、正面視して左右方向に間隔をあけて配置された一対の支持部材５０と、一対の支持部材５０を連結する連結部材５１と、を有している。支持脚６は、支持部材５０ごとに、食器洗い１００機の前後方向に間隔をあけて少なくとも２つ設けられている。よって、本実施の形態に係る支持台４は、製造現場から設置現場へ分解した状態で搬送できるので、搬送効率を高めることができる。
【００４８】
また、食器洗い機１００の前面側に配置された支持脚６と、食器洗い機１００の背面側に配置された支持脚６とは、位置をずらして配置され、すべての高さ確認部６２が前方側から確認できるように構成されている。よって、本実施の形態に係る支持台４は、キッチンカウンタ２００の収納部に収納した状態であっても、すべての高さ確認部６２を前方側から見ることができるので、設置作業時の作業性を向上させることができる。
【００４９】
また、外筒部６０には、中空内部に脚部６１の移動を目標の位置で規制する規制部材６４が設けられている。よって、本実施の形態に係る支持台４は、規制部材６４に突き当たるまで一気に脚部６１を移動させることができるので、設置作業時の作業性がよい。
【００５０】
また、外筒部６０は、中空内部にネジ孔６０ａを有している。脚部６１は、ネジ孔６０ａにねじ込まれたネジ軸部６１ａを有している。支持脚６は、ネジ孔６０ａにねじ込まれたネジ軸部６１ａを回転させることで、脚部６１が外筒部６０に対して上下移動する構成である。よって、本実施の形態に係る支持台４は、ネジ孔６０ａにねじ込まれたネジ軸部６１ａを回転させるだけで、簡単に支持部５の高さを調整できるので、使い勝手がよく、設置作業時の作業性を高めることができる。
【００５１】
また、高さ確認部６２は、外筒部６０に形成された開口部又は透明部である。つまり、本実施の形態に係る支持台４は、高さ確認部６２が簡易な構造であるにも関わらず、確実に支持脚６の目印位置を目視にて前方側から確認できる。
【００５２】
また、支持脚６には、水平器９を載置させるための保持部材８が設けられている。よって、本実施の形態に係る支持台４は、保持部材８に載置させた水平器９を使用して、支持脚６の高さを調整することができるので、支持部５の水平状態の精度を高めることができ、支持部５に載置させた食器洗い機の安定性を高めることができる。
【００５３】
また、保持部材８は、支持脚６を回転軸として水平方向へ回動自在に設けられている。よって、本実施の形態に係る支持台４は、保持部材８を前方に回動させることで、水平器９を設置しやすくなるし、水平器９の目視確認を行うことも容易となる。一方、食器洗い機１００の設置完了後に、保持部材８を回動させて内方に格納させることで、支持台４の前面に取り付けられる化粧パネル７の邪魔になることがない。
【００５４】
また、支持部５の前面側には、支持脚６に取り付けられた固定部材７４を介して化粧パネル７が取り付けられている。固定部材７４には、水平器９を載置させるための保持部材８が取り付けられている。よって、本実施の形態に係る支持台４は、意匠性を高めるために化粧パネル７を取り付ける場合であっても、保持部材８の存在が邪魔になることがなく、水平器９を保持部材８に載置させて、支持脚６の高さを調整することができるので、支持部５の水平状態の精度を高めることができ、支持部５に載置させた食器洗い機の安定性を高めることができる。
【００５５】
以上に本発明を実施の形態に基づいて説明したが、本発明は上述した実施の形態の構成に限定されるものではない。例えば、図示した支持台４の構成は、一例であって、上述した内容に限定されるものではなく、他の構成要素を含んでも同様に実施することができる。また、食器洗い機１００は、キッチンカウンタ２００以外の設備にビルトインされてもよいし、システムキッチンでない設備にビルトインされてもよい。また、図示することは省略したが、支持部５は、１枚の板状部材で構成してもよい。また、脚部６１は、図示した構成に限定されず、例えば上下にスライド移動させて、支持部５の高さを調整できる構成でもよい。要するに、本発明は、その技術的思想を逸脱しない範囲において、当業者が通常に行う設計変更及び応用のバリエーションの範囲を含むものである。
【符号の説明】
【００５６】
１  筐体、２  前面扉、３  洗浄槽、３ａ  排気孔、３ｂ  凹部、４  支持台、５  支持部、６  支持脚、７  化粧パネル、８  保持部材、９  水平器、１０  洗浄ポンプ、１０ａ  送水配管、１０ｂ  排水配管、１１  温風送風部、１１ａ  送風ファン、１１ｂ  モータ、１１ｃ  乾燥ヒータ、１１ｄ  温風送風口、１２  排気経路部、１３  発熱体、３０  洗浄対象物、３１  食器かご、３２  内蓋、３３  支持材、３４  ばね、３５  支持軸、３６  洗浄ノズル、５０  支持部材、５１  連結部材、５２  位置ずれ防止金具、５３  転倒防止金具、５３ａ  凸部、６０  外筒部、６０ａ  ネジ孔、６１  脚部、６１ａ  ネジ軸部、６１ｂ  基端部、６１ｃ  溝、６２  高さ確認部、６３  表示部、６４  規制部材、７０  パネルベース部、７１  上枠材、７２  下枠材、７３  側枠材、７４  固定部材、１００  食器洗い機、１０１  台所設備、２００  キッチンカウンタ。
【図１】
2020081718.tif 000003
【図２】
2020081718.tif 000004
【図３】
2020081718.tif 000005
【図４】
2020081718.tif 000006
【図５】
2020081718.tif 000007
【図６】
2020081718.tif 000008
【図７】
2020081718.tif 000009
【図８】
2020081718.tif 000010
【図９】
2020081718.tif 000011
【図１０】
2020081718.tif 000012
【図１１】
2020081718.tif 000013
【図１２】
2020081718.tif 000014
【図１３】
2020081718.tif 000015
【図１４】
2020081718.tif 000016
【図１５】
2020081718.tif 000017
【図１６】
2020081718.tif 000018
【図１７】
2020081718.tif 000019
【図１８】
2020081718.tif 000020
【図１９】
2020081718.tif 000021